(57)【要約】【課題】  主に芳香液または／及び消臭液等の液体を収容し、液体を発散する発散体が木製素材で形成されている容器において、発散体や発散体と口部の隙間等からの液垂れを防止できるようにしたものを提供する。【解決手段】 芳香液を収容する容器本体２の口部２１に、芳香液を発散させる発散体１が設けてある。発散体１は木製素材で形成されている。口部２１の周辺部には、芳香液の液垂れを防止する液垂れ受け部材３が設けてある。液垂れ受け部材３は、芳香液または／及び消臭液を吸収し発散させることができる素材で形成されている。  【選択図】  図１  
2005124836.tif 000002
【特許請求の範囲】
【請求項１】
液体を発散する発散体(1)(1a)が容器本体(2)の口部(21)に設けてあり、該発散体(1)(1a)は木製素材で形成されており、上記口部(21)の周辺部には液垂れを防止する液垂れ受け部材(3)(3a)が設けてあることを特徴とする、
容器。
【請求項２】
液垂れ受け部材(3)は、液体を吸収し発散させることができる素材で形成されていることを特徴とする、 
請求項１記載の容器。
【請求項３】
液垂れ受け部材(3)は、容器本体(2)の左右両側に張り出して設けてある張出部(32，32)を備え、該張出部(32，32)は液体を吸収し発散させることができると共に柔軟性、可撓性または変形性を有し、容器本体(2)を吊り下げ可能な吊下部(4)を備えていることを特徴とする、
請求項１または２記載の容器。
【請求項４】
筒状の口部(21)に被せるキャップで発散体(1)が構成され、該発散体(1)で液垂れ受け部材(3)を締め付けることにより、液垂れ受け部材(3)が容器本体(2)との間で固定されていることを特徴とする、
請求項１，２または３記載の容器。
【請求項５】
筒状に形成された口部(21)の開口部(212)を発散体(1a)で直接的または間接的に塞ぐように構成されており、該発散体(1a)を口部(21)に取り付ける取付手段(5)が発散体(1a)の周りを囲むようにして設けられており、該取付手段(5)は液体が滲透しない素材で形成されていることを特徴とする、
請求項１，２または３記載の容器。
【請求項６】
請求項１，２，３，４または５記載の容器(A1)(A2)に芳香液または／及び消臭液が収容されていることを特徴とする、
容器。
【発明の詳細な説明】
【技術分野】
【０００１】
本発明は容器に関する。
更に詳しくは、主に芳香液または／及び消臭液等の液体を収容し、液体を発散する発散体が木製素材で形成されている容器において、発散体や発散体と口部の隙間等からの液垂れを防止できるようにしたものに関する。
【０００２】
また、例えば液体として芳香剤または／及び消臭剤を入れた場合には、芳香剤または／及び消臭剤の液垂れをより確実に防止できると共に、無駄なく効率的に芳香または消臭ができるようにした容器に関する。
【背景技術】
【０００３】
例えば自動車内でのエアコンやタバコなどの不快な臭いを低減するために、芳香液が使用されている。芳香液用の容器（以下、単に「芳香液用容器」という場合がある）としては様々な形態のものがあるが、近年の自然志向の高まりを受けて、容器の一部に木材を使用したものが提案されている（特許文献１参照）。
【特許文献１】特開２００２−１１０８６号公報
【０００４】
特許文献１記載のものは、図５に示すように、芳香液を収容する容器本体８と、芯材である吸収部９１と芳香液を発散させる揮散部９２とで構成される吸い上げ揮散機構部と、を備えた吸い上げタイプの芳香液用容器である。
【０００５】
特許文献１には、「吸収部９１及び揮散部９２を香りの発散が緩やかな木材で形成し、これらを吸上げ揮散機構部として採用することにより、収容される芳香液由来の香気を効率良く緩やかに持続的に放香させることができ共に、自然志向にも適した外観となる」と記載されている。
【発明の開示】
【発明が解決しようとする課題】
【０００６】
しかしながら、特許文献１に記載のもの（図５参照）は、実際に使用する上で次のような課題があった。
【０００７】
(1) 特許文献１に記載のものは、吸い上げた芳香液を発散させる揮散部９２が木製であり、容器本体８はプラスチック製である。容器本体８の口部８１にはネジがきってあり、揮発部９２が螺合されているが、口部８１と揮発部９２の間には僅かではあるが隙間が形成されている。このため、芳香液用容器を自動車内等に置いた場合では、自動車の振動によってその隙間から芳香液の液垂れが生じ、車内を汚す可能性があった。
【０００８】
また、木材はプラスチック等の化学製品とは異なり、液体を吸収すると膨潤し、乾燥すると収縮する。このため、芳香液用容器の揮散部９２のように、芳香液を吸収させたり発散させたりする目的で木材を長期間使用した場合、木材が変形しやすい。これにより、木製の揮散部９２と口部８１間により一層隙間が生じやすく、液漏れを助長する結果となっていた。
【０００９】
(2) また特許文献１に記載のものは、吸い上げタイプの芳香液用容器であるため、吸収部９１で芳香液を常時吸い上げ、空気中に発散する。このため、芳香液用容器を例えば車内に置いた場合、夜間の駐車時などといった不要なときでも芳香液が常時発散しており、無駄が多かった。
【００１０】
（本発明の目的）
そこで本発明の目的は、主に芳香液または／及び消臭液等の液体を収容し、液体を発散する発散体が木製素材で形成されている容器において、発散体や発散体と口部の隙間等からの液垂れを防止できるようにしたものを提供することにある。
【００１１】
本発明の他の目的は、例えば液体として芳香剤または／及び消臭剤を入れた場合には、芳香剤または／及び消臭剤の液垂れをより確実に防止できると共に、無駄なく効率的に芳香または消臭ができるようにした容器を提供することにある。
【課題を解決するための手段】
【００１２】
上記目的を達成するために講じた本発明の手段は次のとおりである。
第１の発明にあっては、
液体を発散する発散体が容器本体の口部に設けてあり、該発散体は木製素材で形成されており、上記口部の周辺部には液垂れを防止する液垂れ受け部材が設けてあることを特徴とする、
容器である。
【００１３】
第２の発明にあっては、
液垂れ受け部材は、液体を吸収し発散させることができる素材で形成されていることを特徴とする、 
第１の発明に係る容器である。
【００１４】
第３の発明にあっては、
液垂れ受け部材は、容器本体の左右両側に張り出して設けてある張出部を備え、該張出部は液体を吸収し発散させることができると共に柔軟性、可撓性または変形性を有し、容器本体を吊り下げ可能な吊下部を備えていることを特徴とする、
第１または第２の発明に係る容器である。
【００１５】
第４の発明にあっては、
筒状の口部に被せるキャップで発散体が構成され、該発散体で液垂れ受け部材を締め付けることにより、液垂れ受け部材が容器本体との間で固定されていることを特徴とする、
第１，２または第３の発明に係る容器である。
【００１６】
第５の発明にあっては、
筒状に形成された口部の開口部を発散体で直接的または間接的に塞ぐように構成されており、該発散体を口部に取り付ける取付手段が発散体の周りを囲むようにして設けられており、該取付手段は液体が滲透しない素材で形成されていることを特徴とする、
第１，２または第３の発明に係る容器である。
【００１７】
第６の発明にあっては、
第１，２，３，４または第５の発明に係る容器に芳香液または／及び消臭液が収容されていることを特徴とする、
容器である。
【００１８】
本明細書及び特許請求の範囲にいう「木製素材」とは、単一の木材に限らず、合板、集成材、繊維板、硬化積層材等も含む広い概念として使用している。
【００１９】
本明細書及び特許請求の範囲にいう「液体を吸収し発散させることができる素材」としては、皮革（合成皮革も含む）、布、不織布、スポンジ、綿等を挙げることができるが、特にこれらに限定されない。
【００２０】
本明細書及び特許請求の範囲にいう「芳香液または／及び消臭液」には、芳香液または消臭液のいずれか一方を含む場合と、芳香液及び消臭液の両方を含む場合を含む意味で使用している。
【００２１】
（作  用）
本発明に係る容器の作用を説明する。
例えば液体として芳香液または／及び消臭液（以下、芳香液等という場合がある）を入れた場合、容器本体を傾ける等して、口部から芳香液等を発散体に接触させる。接触した芳香液等は木製素材の組織構造中の導管等を通じて発散体に滲透（含浸）し、空気中に発散する。
【発明の効果】
【００２２】
本発明は上記構成を備え、次の効果を有する。
（ａ）本発明に係る容器によれば、発散体が木製素材で形成されているため、発散体や発散体と口部の隙間等から液垂れが生じやすい傾向がある。しかしながら、容器本体の口部の周辺部に液垂れ受け部材が設けてあるので、例えば液体として容器に芳香液等を入れて自動車内で使用した場合、自動車の振動によって液面が揺れた場合でも、芳香液等の液垂れを防止することができる。
【００２３】
また例えば液体として芳香液等を入れた場合には、必要なときに容器本体を傾ける等して口部から芳香液等を発散体に接触させる。接触した芳香液等は木製素材の組織構造中の導管等を通じて発散体に滲透（含浸）し、空気中に発散する。よって、容器本体を傾ける時間や傾ける頻度などを調整することにより、調整用のキャップなどを使用しなくても、芳香または消臭の強さを簡単に調整することができる。
更に、容器本体を傾けなければ、芳香液等は発散体に移らない。よって、芳香液用容器を例えば自動車内に置いた場合、夜間の駐車時などといった芳香または消臭が不要なときは、芳香液等は空気中に発散しにくく、無駄がない。
【００２４】
（ｂ）液体を吸収し発散させることができる素材で液垂れ受け部材が形成されているものは、液垂れ受け部材で液体を単に受けるだけでなく、一旦吸収するので、より確実に液垂れを防止できる。また、液垂れ受け部材で吸収した液体を発散させることができるので、例えば液体として芳香液等を入れた場合には芳香液の無駄がなく、効率的である。
【００２５】
（ｃ）液垂れ受け部材が容器本体の左右両側に張り出して設けてある張出部を備え、該張出部が液体を吸収し発散させることができると共に、柔軟性、可撓性または変形性を有し、容器本体を吊り下げ可能な吊下部を備えているものは、例えば液体として芳香液等を入れた場合、容器を自動車内のルームミラー等に吊り下げることができる。
このため、自動車の振動により、吊下部で吊り下げられた容器本体は左右に揺動し、しかも、吊下部が設けてある張出部は柔軟性、可撓性または変形性を有しているため、容器本体の揺動によって張出部も撓んだり変形等したりして振動する。この振動によって、液垂れ受け部材に吸収された芳香液等が空気中に拡散しやすく、芳香や消臭効果が短時間に得られやすい。
【００２６】
（ｄ）筒状の口部に被せるキャップで発散体が構成され、該発散体で液垂れ受け部材を締め付けることにより、液垂れ受け部材が容器本体に固定されているものは、該発散体で液垂れ受け部材を締め付けているので、発散体と液垂れ受け部材は密着した状態となっている。よって、液体は発散体から液垂れ受け部材にスムーズに移りやすいので、容器本体等の別の箇所に移る可能性が低く、液垂れが生じにくい。また、目に付きやすいキャップ部分が木製素材で形成されているため、自然な雰囲気をより一層演出しやすい。 
【００２７】
（ｅ）筒状に形成された口部の孔を発散体で直接的または間接的に塞ぐように構成されており、該発散体を口部に固定する取付手段が発散体の周りを囲むようにして設けられており、該取付手段は液体が滲透しない素材で形成されているものは、木製素材で形成された発散体の周りは液体が滲透しない素材で囲まれているので、発散体からの液垂れを防止することができる。
【発明を実施するための最良の形態】
【００２８】
本発明を図面に示した実施例に基づき更に詳細に説明する。
【実施例１】
【００２９】
図１は本発明に係る容器の第１の実施例を示す斜視説明図、
図２は容器の縦断面説明図である。
なお、本実施例では「容器」に芳香液を入れた場合を想定して説明するので、以下、「容器」を「芳香液用容器」と称する場合がある。これについては、実施例２についても同様である。
【００３０】
芳香液用容器Ａ１は、芳香液を収容する容器本体２を備えている。容器本体２はガラス製であり、中に入った芳香液の量を外から視認することができる。図２で符号Ｌは芳香液の液面を示している。
【００３１】
なお、容器本体２の材料は特にガラスに限定するものではなく、陶器、プラスチック、木材等のその他の材料を使用することができる。容器本体２を透明性または半透明性を有する材料で形成したり、透明または半透明を有する部分を備えた構成とすれば、上記したように芳香液の量を視認できる。
【００３２】
容器本体２は、筒状の口部２１（図２参照）を備えた小瓶である。容器本体２の大きさは、横幅が約３５ｍｍ、口部２１を含めた高さは約４５ｍｍであるが、特にこれに限定されない。口部２１にはネジ溝２１１が形成されている。
【００３３】
口部２１には、口部２１に被せるキャップで構成される断面略「コ」状の発散体１が螺合して固定されている。発散体１は、芳香液が滲透可能な単一の木材で形成されている。発散体１は平面視円形状であるが、特にこの形状に限定されない。
【００３４】
図２に示すように、発散体１の内部側には、口部２１のネジ溝２１１に螺合するネジ部１１が設けてある。発散体１の外周面部には、上下に所要の間隔をおいて二本の溝１２，１２が設けてある。この溝１２，１２の数は特に限定されない。この溝１２，１２の作用については後述する。
【００３５】
口部２１の基端側周辺部には、芳香液の液垂れを防止する液垂れ受け部材３が設けてある。液垂れ受け部材３は、芳香液を吸収し発散させることができる素材で形成されていると共に、柔軟性、可撓性または変形性を有している。本実施例では、その素材として皮革（詳しくはスエード）を用いている。
【００３６】
液垂れ受け部材３は幅が約１４ｍｍ、全長が約７５ｍｍ、厚さが約１．５ｍｍの帯状体であるが、特にこの大きさに限定するものではない。液垂れ受け部材３の長さ方向の中間部には、容器本体２の口部２１を嵌め入れる円形の孔３１（図２参照）が設けてある。孔３１が設けられている中央部分は平面視円形状であり、その直径は発散体１の直径よりも大きい。
【００３７】
液垂れ受け部材３の中央部分の左右両側は、張出部３２，３２を構成する。張出部３２，３２は、容器本体２の左右両側に張り出して設けられている。
【００３８】
液垂れ受け部材３の孔３１に容器本体２の口部２１を嵌め入れ、キャップ式の発散体１を口部２１に螺合して固定する。そして、発散体１で液垂れ受け部材３をきつく締め付けることにより、液垂れ受け部材３が容器本体２との間で固定されている。
【００３９】
液垂れ受け部材３の左右両端側（張出部３２，３２の端部側）には、孔３３を介して吊下部４，４が設けてある。吊下部４は紐状体であり、複数のビーズ４１によって装飾が施されている。吊下部４により、自動車内のルームミラー等に芳香液用容器Ａ１を吊り下げることができる。
【００４０】
図２に示すように、容器本体２内の芳香液の液面Ｌと発散体１は、空間部分２２を挟んで離れている。即ち、芳香液用容器Ａ１は、芯材による吸い上げによって芳香液を発散させる構造ではなく、必要なときに容器本体２を傾ける等して芳香液を発散体１に滲透させ、木製素材の組織構造中の導管等を通じて発散体１に移った芳香液を空気中に発散させる構造である。
【００４１】
（作  用）
芳香液用容器Ａ１を自動車内のルームミラーに吊り下げた場合を例に挙げて、芳香液用容器Ａ１の作用を説明する。
【００４２】
発散体１は木製素材で形成されているため、芳香液用容器Ａ１を自動車内に置いた場合、自動車の振動によって芳香液が発散体１に滲透し、発散体１を通じて液垂れが発生する可能性がある。しかしながら、芳香液用容器Ａ１では、図２に示すように、口部２１の周辺部に液垂れ受け部材３が設けてあるので、発散体１から生じる液垂れや、口部２１と発散体１の隙間から生じる液垂れ等を防止することができる。
【００４３】
特に、液垂れ受け部材３は芳香液を吸収し発散させることができる素材で形成されているので、液垂れ受け部材３で芳香液を単に受けるだけでなく、一旦吸収するので、より確実に液垂れを防止できる。また、液垂れ受け部材３で吸収した芳香液を発散させることができるので、芳香液の無駄がない。
【００４４】
芳香液用容器Ａ１をルームミラーに単に吊り下げている状態では、図２に示すように、芳香液は発散体１に接しておらず、芳香液は外気中に発散しにくい。したがって、特許文献１に記載された芯材による吸い上げタイプのものと相違して、夜間の駐車時などといった芳香が不要なときは、芳香液は空気中に発散しにくく、無駄がない。
【００４５】
芳香を得たい場合（芳香液を発散させる場合）は、芳香液用容器Ａ１を下に傾けて芳香液を発散体１に滲透させる。芳香を長時間持続させたい場合は、傾ける時間を長くして多くの量の芳香液を発散体１に接触させる。発散体１の裏側に接触した芳香液は、組織構造中の導管等を通じて発散体１の表面側に移り、空気中に発散する。このように、容器本体２を傾けている時間や傾ける頻度などを調整することにより、芳香の強さを簡単に調整することができる。
【００４６】
また液垂れ受け部材３は、上記したように、芳香液を吸収し発散させることができる素材で形成されている。よって、発散体１から液垂れ受け部材３に芳香液が移った場合、液垂れ受け部材３からも芳香液が空気中に発散し、短時間で芳香が車内に行き渡りやすい。
【００４７】
更に、発散体１で液垂れ受け部材３を締め付けているので、発散体１と液垂れ受け部材３はより密着した状態となっている。よって、芳香液は発散体１から液垂れ受け部材３にスムーズに移りやすいので、容器本体２等の別の箇所に移る可能性が低く、液垂れが生じにくい。
【００４８】
また、目に付きやすいキャップ部分である発散体１が木製であるため、芳香液用容器Ａ１の自然な雰囲気をより一層演出しやすい。
【００４９】
自動車の振動により、吊下部４で吊り下げられた容器本体２は左右に揺動する。しかも、吊下部４が設けてある液垂れ受け部材３の張出部３２，３２は皮革製で、柔軟性、可撓性または変形性を有している、したがって、容器本体２の揺動によって張出部３２，３２も撓んだり変形等したりして振動する。この振動により、液垂れ受け部材３に吸収された芳香液が効率的に空気中に拡散しやすい。
【００５０】
また、液垂れ受け部材３を内側に折り曲げてその両端側を発散体１に接触させることにより、発散体１に移った芳香液を液垂れ受け部材３の両端側にも強制的に吸収させることもできる。これにより、芳香液が気化する面積がより広くなるので、短時間で芳香の効果を得たい場合は好適である。
【００５１】
なお、液垂れ受け部材３と同様に、吊下部４，４も芳香液を吸収し発散させることができる素材で形成すれば、芳香液が気化する面積をより広くすることができる。
【００５２】
容器本体２を左右どちらか一方側に傾けると、芳香液が発散体１の壁面の片側を伝わって流れ落ちる。またそれと共に、発散体１の外周面に形成された溝１２，１２を伝って、芳香液１が発散体１の外周面全体に伝わりやすい。これにより、芳香液１が発散体１の形側だけでなく、発散体１全体から発散しやすくなるので、比較的短時間で芳香液が気化し
やすい。
【実施例２】
【００５３】
図３は本発明に係る容器の第２の実施例を示す斜視説明図、
図４は容器の縦断面説明図である。
【００５４】
なお、実施例１と同一または同等箇所には同一の符号を付して示している。また、実施例１で示してある箇所については、説明を省略し、主に相異点を説明する。
【００５５】
実施例１（図２参照）では、口部２１にキャップ式の発散体１を被せているが、本実施例では、口部２１の開口部２１２を円板状の発散体１ａで塞ぐようにように構成されている。そして、開口部２１２に発散体１ａを取り付けるための略筒状の取付部５が、発散体１ａの周りを囲むようにして設けられている。取付部５は、液体が滲透しない素材であるプラスチックで形成されている。
【００５６】
なお、取付部５は特にプラスチックに限定するものではなく、セラミックス、金属、ゴム（天然ゴム、合成ゴムを問わない）あるいはそれらの組み合わせ等やその他の材料で形成することもできる。
【００５７】
取付部５の基部側には、容器本体２の口部２１に螺合する孔５１が設けてある。取付部５の先部側には、発散体１ａを収容する孔である収容孔５２が設けてある。孔５１と収容孔５２は、円形の通液孔５３（または通気孔）によって繋がっている。通液孔５３の直径は、口部２１の開口部２１２、孔５１、収容孔５２の直径よりも小さい。収容孔５２内の下部には、平面視円形状の発散体１ａがきつく嵌め込んで取り付けられている。
【００５８】
このように、木製の発散体１ａの周りは液体が滲透しない素材で囲まれているので、木製素材を使用して発散体１ａを形成した場合でも、発散体１ａからの芳香液の液垂れを防止することができる。また、通液孔５３は口部２１の開口部２１２よりも小さいので、口部２１の外周面と孔５１の内周面の隙間から芳香液は漏れにくい。
【００５９】
更に実施例１（図２参照）では、液垂れ受け部材３は芳香液を吸収し発散させることができる素材で形成されているが、本実施例では芳香液を吸収しないプラスチックで平面視略円形状の液垂れ受け部材３ａが形成されている。液垂れ受け部材３ａは芳香液を吸収しないが、以下のような構造により、芳香液の液垂れを防止している。
【００６０】
即ち、液垂れ受部３ａの周縁部には、一段高く形成された液垂れ防止用の段部３４（また壁部）が周縁部に沿って連続的に設けられている。この段部３４によって構成される内側の溝部３５（図４参照）により、万一、取付部５の内周面や外周面を伝って芳香液が漏れてきたとしても、容器本体２側へ液漏れしないように芳香液を受けることができる。
【００６１】
また、取付部５で液垂れ受け部材３ａをきつく締め付けることにより、液垂れ受け部材３ａが容器本体２に固定されている。これにより、取付部５の下端部と液垂れ受け部材３ａの接触部分から芳香液が漏れることを防止できる。
【００６２】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００６３】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００６４】
【図１】本発明に係る容器の第１の実施例を示す斜視説明図。
【図２】容器の縦断面説明図。
【図３】本発明に係る容器の第２の実施例を示す斜視説明図。
【図４】容器の縦断面説明図。
【図５】特許文献１に記載された芳香液用容器を示す縦断面図。
【符号の説明】
【００６５】
Ａ１，Ａ２ 芳香液用容器
１，１ａ 発散体
２ 容器本体
３，３ａ 液垂れ受け部材受部
４ 吊下部
５ 取付部
１１ ネジ部
１２ 溝
２１ 口部
２２ 空間部分
３１ 孔
３２ 張出部
３３ 孔
３４ 段部
３５ 溝部
４１ ビーズ
５１ 孔
５２ 収容孔
５３ 通液孔
２１１ ネジ溝
２１２ 開口部
５１１ ネジ部
Ｌ 液面
【図１】
2005124836.tif 000003
【図２】
2005124836.tif 000004
【図３】
2005124836.tif 000005
【図４】
2005124836.tif 000006
【図５】
2005124836.tif 000007